(57)【要約】【課題】幅寸法の異なる複数枚のフラットケーブルをそれぞれ正確に位置合わせすることができるとともに、両フラットケーブルの結束作業を容易に行い得るようにする。【解決手段】幅寸法の異なる複数のフラットケーブルＦ１，Ｆ２を重ねて結束する際に使用するフラットケーブルの結束用保持具５であって、幅広の第１フラットケーブルＦ１を保持する第１スリット１１と、幅の狭い第２フラットケーブルを保持する第２スリット１３とを有し、これらの第１スリット１１と第２スリット１３との間に隔壁板７を配設することにより、この隔壁板７を隔てて両スリット１１，１３を相対向させ、かつ上記各フラットケーブルＦ１，Ｆ２の幅寸法に対応した位置決め用の基準面（第１，第２段部９，１２）を各スリット１１，１３の底部に設け、この基準面の各フラットケーブルＦ１，Ｆ２の一側辺部をそれぞれ当接させて位置決めするように構成した。【選択図】　図２
2004007918.tif 000002
【特許請求の範囲】
【請求項１】
幅寸法の異なる複数のフラットケーブルを重ねて結束する際に使用するフラットケーブルの結束用保持具であって、幅広の第１フラットケーブルを保持する第１スリットと、幅の狭い第２フラットケーブルを保持する第２スリットとを有し、これらの第１スリットと第２スリットとの間に隔壁板を配設することにより、この隔壁板を隔てて両スリットを相対向させ、かつ上記各フラットケーブルの幅寸法に対応した位置決め用の基準面を各スリットの底部に設け、この基準面の各フラットケーブルの一側辺部をそれぞれ当接させて位置決めするように構成したことを特徴とするフラットケーブルの結束用保持具。
【請求項２】
請求項１に記載のフラットケーブルの結束用保持具において、第１スリットの基準面により位置決めされたされた第１フラットケーブルの幅方向中心線と、第２スリットの基準面により位置決めされた第２フラットケーブルの幅方向中心線とを一致させるように、上記両スリットの基準面をそれぞれ配設したことを特徴とするフラットケーブルの結束用保持具。
【発明の詳細な説明】
【０００１】
【発明の属する技術分野】
本発明は、幅寸法の異なる複数のフラットケーブルを重ねて結束する際に使用するフラットケーブルの結束用保持具に関するものである。
【０００２】
【従来の技術】
一般にフラットケーブルは、所定の回路網を構成する導電線を絶縁樹脂で被覆した可撓性を有するシート状の配線体である。かかるフラットケーブルは、車両のルーフ部に配索されるルーフ用ハーネス等として使用されるものであり、配索用の加工装置（例えば特願２００１−２５９５２３号参照）を用いて、それぞれ別々に製造された幹線部分と分岐線部分とを、グロスアッセンブルすることにより完成させるように構成されている。
【０００３】
具体的には、図６に示すように、上記フラット用ケーブルの基幹部分等からなる第１フラットケーブルＦ１と、同分岐線部分等からなる第２フラットケーブルＦ２とを、ケーブル保持具６０に設けられたスリット６１内に挿入して保持させた状態で、このケーブル保持具６０の側方部において粘着テープを上記両フラットケーブルＦ１，Ｆ２に巻き付けることにより、両フラットケーブルＦ１，Ｆ２を一体に結束することが行われている。
【０００４】
【発明が解決しようとする課題】
上記のようにケーブル保持具６０に形成されたスリット６１内に第１，第２フラットケーブルＦ１，Ｆ２を挿入して、これらを保持した状態で両フラットケーブルＦ１，Ｆ２の結束作業を行うように構成した場合には、粘着テープによる結束作業を容易に行うことができるという利点を有する反面、第１フラットケーブルＦ１と第２フラットケーブルＦ２との幅寸法が異なっている場合に、両フラットケーブルＦ１，Ｆ２を正確に位置合わせした状態で結束することが困難であり、両フラットケーブルＦ１，Ｆ２が位置ずれした状態で結束され易いという問題があった。
【０００５】
すなわち、上記第１，第２フラットケーブルＦ１，Ｆ２の両方をケーブル保持具６０のスリット６１内に挿入して保持させるように構成されているため、このスリット６１の底部に設けられた基準面に応じて両フラットケーブルＦ１，Ｆ２の位置決めを行うように構成した場合には、図６に示すように、幅広の第１フラットケーブルＦ１の一側辺部側に第２フラットケーブルＦ２が片寄った状態となり易く、例えば第１フラットケーブルＦ１の幅方向の中心線上に第２フラットケーブルＦ２を位置させた状態で両フラットケーブルを結束することが困難である等の問題があった。
【０００６】
本発明は、上記課題に鑑みてなされたものであり、幅寸法の異なる複数枚のフラットケーブルをそれぞれ正確に位置合わせすることができるとともに、両フラットケーブルの結束作業を容易に行うことができるフラットケーブルの結束用保持具を提供することを目的としている。
【０００７】
【課題を解決するための手段】
本発明は、幅寸法の異なる複数のフラットケーブルを重ねて結束する際に使用するフラットケーブルの結束用保持具であって、幅広の第１フラットケーブルを保持する第１スリットと、幅の狭い第２フラットケーブルを保持する第２スリットとを有し、これらの第１スリットと第２スリットとの間に隔壁板を配設することにより、この隔壁板を隔てて両スリットを相対向させ、かつ上記各フラットケーブルの幅寸法に対応した位置決め用の基準面を各スリットの底部に設け、この基準面の各フラットケーブルの一側辺部をそれぞれ当接させて位置決めするように構成したものである。
【０００８】
この発明によれば、上記両フラットケーブルが互いに独立した状態で、結束用保持具の両スリット内にそれぞれ挿入されて保持されるとともに、上記両スリットの底部に設けられた基準面に両フラットケーブルの一側辺部をそれぞれ当接させることにより、両フラットケーブルが個別に位置決めされる。このため、幅寸法の異なる第１，第２フラットケーブルの幅方向位置を正確に位置合わせし、かつ両フラットケーブルを結束用保持具に保持させた状態で、両者を粘着テープ等により結束する作業が容易かつ正確に行われることになる。
【０００９】
また、上記結束用保持具において、第１スリットの基準面により位置決めされたされた第１フラットケーブルの幅方向中心線と、第２スリットの基準面により位置決めされた第２フラットケーブルの幅方向中心線とを一致させるように、上記両スリットの基準面をそれぞれ配設することが好ましい。
【００１０】
この態様によれば、第１フラットケーブルの幅方向中央部上に第２フラットケーブルを正確に配設した状態で、これらを結束することにより、安定感のある結束状態が得られることになる。
【００１１】
【発明の実施の形態】
図１は、予め別々に製造された複数のフラットケーブルを結束してアッセンブリする際に使用される作業図板１の概略構成を示している。この作業図板１は、作業者（図示せず）側の下辺部が下方に位置するように傾斜した図板本体２と、この図板本体２上の左側部等に設置された第１コネクタホルダ３と、図板本体２上の上方部等に設置された第２コネクタホルダ４と、本発明の実施形態に係る結束用保持具５とを備えている。
【００１２】
上記第１コネクタホルダ３は、幅広に形成された第１フラットケーブルＦ１の端部に接続されたコネクタＣ１を保持して、その下流側部Ｆ１ａを上記結束用保持具５の設置部に向けて案内するものである。また、上記第２コネクタホルダ４は、第１フラットケーブルＦ１よりも幅の狭い第２フラットケーブルＦ２の端部に接続されたコネクタＣ２を保持して、その下流側部Ｆ２ｂを上記結束用保持具５の設置部に向けて案内するものである。
【００１３】
上記結束用保持具５は、図２〜図４に示すように、プラスチック材または金属材等により略矩形に形成されたブロック体からなる保持具本体６と、その表面を覆うように設置された薄肉のプレート材からなる隔壁板７と、その表面を覆うように設置された透明プラスチック板等の板状部材からなるカバー８とを有し、上記保持具本体６の表面上に、上記隔壁板７およびカバー８が皿ねじ等により一体に固定されるように構成されている。
【００１４】
上記保持具本体６の表面には、その一側辺部６ａを除く部分が切り欠かれることにより、上記第１フラットケーブルＦ１の厚さに対応した高さを有する第１段部９が形成されている。そして、図板本体２に立設されたねじ軸等からなる一対の支持軸１０の上端部に上記保持具本体６が固定されるようになっている。この保持具本体６の表面には、上記隔壁板７が固定されることにより、上記第１段部９を基準面（底部）とし、かつ先端面および左右両面が開口した第１スリット１１が、保持具本体６の表面と隔壁板７の裏面との間に形成され、この第１スリット１１内に上記第１フラットケーブルＦ１が挿入されて保持されるように構成されている。
【００１５】
上記カバー８の裏面には、その一側辺部８ａを除く部分が切り欠かれることにより、上記第２フラットケーブルＦ２の厚さに対応した高さを有する第２段部１２が形成されている。そして、上記隔壁板７の表面にカバー８が固定されることにより、上記第２段部１２を基準面（底部）とし、かつ先端面および左右両面が開口した第２スリット１３が、上記隔壁板７の表面とカバー８の裏面との間に形成され、この第２スリット１３内に第２フラットケーブルＦ２が挿入されて保持されるようになっている。
【００１６】
また、上記第１スリット１１と第２スリット１３とは、上記隔壁板７を隔てて相対向するように配列されるとともに、第１スリット１１に保持された第１フラットケーブルＦ１の幅方向中心線と、第２スリット１３に保持された第２フラットケーブルＦ２の幅方向中心線とが一致するように、上記基準面の位置、つまり第１，第２スリット１１，１３の底部を構成する第１，第２段部９，１２の位置が設定されている。
【００１７】
すなわち、図２に示すように、保持具本体６の基準面から上記第１段部９までの距離Ｌ１が、保持具本体６の基準面から上記第２段部１３までの距離Ｌ２よりも小さな値に設定されるとともに、両者の差（Ｌ２−Ｌ１）が、第１フラットケーブルＦ１の幅寸法Ｗ１と第２フラットケーブルＦ２の幅寸法Ｗ２との差（Ｗ１−Ｗ２）の１／２に設定されている。そして、第１スリット１１内に第１フラットケーブルＦ１を挿入して、その一側辺部を基準面（第１段部９）に当接させることにより、上記第１フラットケーブルＦ１が幅方向に位置決めされた状態で第１スリット１１内において保持されるようになっている。また、第２スリット１３内に第２フラットケーブルＦ２を挿入して、その一側辺部を基準面（第２段部１２）に当接させることにより、上記第１フラットケーブルＦ１の幅方向中心部上に、第２フラットケーブルＦ２が位置決めされた状態で配設されるようになっている。
【００１８】
上記構成を有するフラットケーブルの結束用保持具５を使用して幅寸法の異なる第１フラットケーブルＦ１と第２フラットケーブルＦ２とを重ね合わせた状態で両者を結束する場合には、図１に示すように、図板本体２上の第１コネクタホルダ３に第１フラットケーブルＦ１のコネクタＣ１を保持させるとともに、その下流側部Ｆ１ａを結束用保持具５の第１スリット１１内に挿入して保持させる。次いで、図板本体２上の第２コネクタホルダ４に第２フラットケーブルＦ２のコネクタＣ２を保持させるとともに、その下流側に設けられた折返し部Ｆ２ａを経て図板本体２の右側に伸びる下流側部Ｆ２ｂを結束用保持具５の第２スリット１３内に挿入して保持させる。
【００１９】
上記のようにして図２および図３に示すように、結束用保持具５に設けられた各スリット１１，１３の基準面（第１，第２段部９，１２）に第１，第２フラットケーブルＦ１，Ｆ２の一側辺部が当接してそれぞれ位置決めされた状態で、両フラットケーブルＦ１，Ｆ２が上記結束用保持具５に保持されることになる。その後、図３の仮想線で示すように、上記結束用保持具５の右側方部等において、粘着テープ１４を第１フラットケーブルＦ１および第２フラットケーブルＦ２に巻き付けることにより、第１フラットケーブルＦ１上に第２フラットケーブルＦ２を重ねた状態で、これらを一体に結束する。
【００２０】
このように幅広の第１フラットケーブルＦ１を保持する第１スリット１１と、幅の狭い第２フラットケーブルＦ２を保持する第２スリット１３とを上記結束用保持具５に設けるとともに、これらの第１スリット１１と第２スリット１３との間に隔壁板７を配設することにより、この隔壁板７を隔てて両スリット１１，１３を相対向させるように構成したため、上記両フラットケーブルＦ１，Ｆ２を互いに独立させた状態で、結束用保持具５にそれぞれ保持させることができる。
【００２１】
そして、上記上記各フラットケーブルＦ１，Ｆ２の幅寸法に対応した位置決め用の基準面（第１，第２段部９，１２）を各スリット１１，１３の底部に設け、この基準面の各フラットケーブルＦ１，Ｆ２の一側辺部をそれぞれ当接させて位置決めするように構成したため、図６に示すように、幅寸法の異なる複数のフラットケーブルＦ１，Ｆ２の両方を単一のスリット６１内に保持させた状態で、これらを結束するように構成された従来技術のように、広幅の第１フラットケーブルＦ１の一側辺部側に、幅の狭い第２フラットケーブルＦ２が片寄った状態で、両フラットケーブルＦ１，Ｆ２が粘着テープ１４により結束される等の弊害が生じるのを効果的に防止することができる。したがって、幅寸法の異なる第１，第２フラットケーブルＦ１，Ｆ２の幅方向位置を正確に位置合わせし、かつ両フラットケーブルＦ１，Ｆ２を結束用保持具５に保持させた状態で、両者を粘着テープ１４により結束する作業を容易かつ正確に行うことができる。
【００２２】
特に、上記実施形態では、第１スリット１１の基準面により位置決めされた第１フラットケーブルＦ１の幅方向中心線と、第２スリット１３の基準面により位置決めされた第２フラットケーブルＦ２の幅方向中心線とが一致するように、上記両スリット１１，１３の基準面位置を設定したため、第１フラットケーブルＦ１の幅方向中央部上に第２フラットケーブルＦ２を正確に配設した状態で、これらを結束することにより、安定感のある結束状態が得られるという利点がある。
【００２３】
なお、第１スリット１１に保持された第１フラットケーブルＦ１の幅方向中心線と、第２スリット１３に保持された第２フラットケーブルＦ２の幅方向中心線とを一致させるように上記両スリット１１，１３の基準面位置をそれぞれ設定した上記実施形態に代え、上記第１フラットケーブルＦ１の幅方向中心線から所定距離だけ偏心した位置に配設されるように、上記両スリット１１，１３の基準面位置を設定してもよい。
【００２４】
上記実施形態では、それぞれ別体に形成された結束具本体６に隔壁板７およびカバー８をビス止めすることにより、上記結束具本体５を構成した例について説明したが、プラスチック材または金属材からなるブロック体を削り加工することにより、上記第１，第２フラットケーブルＦ１，Ｆ１を保持するための第１，第２スリット１１，１３を有するとともに、これらの間に隔壁板７が配設されてなる結束用保持具５を構成するようにしてもよい。
【００２５】
また、図５に示すように、表面が平坦面に形成された保持具本体５１の表面上に、第１スリット１１の位置決め用基準面を形成するための第１プレート５２と、隔壁板７と、第２スリット１３の底部に位置決め用基準面を形成するための第２プレート５３と、裏面が平坦面に形成されたカバー５４とを重ねてこれらを一体にビス止めする等により、上記第１，第２フラットケーブルＦ１，Ｆ１を保持するための第１，第２スリット１１，１３を有するとともに、これらの間に隔壁板７が配設されてなる結束用保持具５を構成するようにしてもよい。この構成によれば、上記第１，第２フラットケーブルＦ１，Ｆ２の幅寸法および厚みが変化した場合に、これに対応して上記第１，第２プレート５２，５３を、幅寸法および厚みが異なるものに取り替えることにより、第１，第２フラットケーブルＦ１，Ｆ２の寸法変化に対応させて、上記第１スリット１１，１３の大きさを容易かつ正確に変化させることができるという利点がある。
【００２６】
さらに、上記結束用保持具５に保持されるフラットケーブルの枚数は２枚に限られるものではなく、上記結束用保持具５に２枚以上の隔壁板を設けるとともに、各隔壁板により区画された３個所以上のスリットを設けた構造とすることにより、上記結束用保持具５に３枚以上のフラットケーブルを保持した状態で、これらを粘着テープにより一体に結束するように構成してもよい。
【００２７】
【発明の効果】
以上説明したように本発明は、幅寸法の異なる複数のフラットケーブルを重ねて結束する際に使用するフラットケーブルの結束用保持具であって、幅広の第１フラットケーブルを保持する第１スリットと、幅の狭い第２フラットケーブルを保持する第２スリットとを有し、これらの第１スリットと第２スリットとの間に隔壁板を配設することにより、この隔壁板を隔てて両スリットを相対向させ、かつ上記各フラットケーブルの幅寸法に対応した位置決め用の基準面を各スリットの底部に設け、この基準面の各フラットケーブルの一側辺部をそれぞれ当接させて位置決めするように構成したため、広幅の第１フラットケーブルの一側辺部側に、幅の狭い第２フラットケーブルが片寄った状態で、両フラットケーブルが粘着テープにより結束される等の弊害が生じるのを効果的に防止し、上記両フラットケーブルの幅方向位置を正確に位置合わせし、かつ両フラットケーブルを結束用保持具に保持させた状態で、両者を粘着テープ等により結束する作業を容易かつ正確に行うことができるという利点がある。
【図面の簡単な説明】
【図１】作業図板の概略構成を示す斜視図である。
【図２】本発明に係る結束用保持具の実施形態を示す斜視図である。
【図３】本発明に係る結束用保持具の実施形態を示す分解斜視図である。
【図４】図３の結束用保持具を作業図板に取り付けた状態を示す側面図である。
【図５】本発明に係る結束用保持具の別の実施形態を示す斜視図である。
【図６】結束用保持具の従来例を示す側面図である。
【符号の説明】
５　結束用保持具
７　隔壁板
９　第１段部（第１スリットの基準面）
１１　第１スリット
１２　第２段部（第２スリットの基準面）
１３　第２スリット
Ｆ１　第１フラットケーブル
Ｆ２　第２フラットケーブル
【図１】
2004007918.tif 000003
【図２】
2004007918.tif 000004
【図３】
2004007918.tif 000005
【図４】
2004007918.tif 000006
【図５】
2004007918.tif 000007
【図６】
2004007918.tif 000008